(57)【要約】      （修正有）【課題】床ずれの防止や、疼痛や疲労を緩和することができる機能性オーガニックコットン製生地を使用したタオルを安価で大量に提供する。【解決手段】３２〜３８テラヘルツの周波数の電磁波を、２〜１２時間、２０℃〜９０℃の温度条件下で、オーガニックコットン製生地に照射することで、オーガニックコットン製生地自体を共鳴電磁波の転写放射体とし、この生地を使用したタオル２を布団３の上に敷き、３２〜３８テラヘルツの共鳴電磁波４を転写放射することにより、寝ている人の体の各部のツボを刺激し、体細胞や血流の水分や各種成分の水素結合を分断し、高分子量成分を低分子量化し活性化することで、血行や神経の流れを改善する。【選択図】図１
0003212664.tif 000002
【実用新案登録請求の範囲】
【請求項１】
３２テラヘルツから３８テラヘルツの周波数の電磁波を、２〜１２時間、２０℃〜９０℃の温度条件下で、オーガニックコットン製生地に照射することで、当該オーガニックコットン製生地自体を当該共鳴電磁波の転写放射体とすることにより３２〜３８テラヘルツの共鳴電磁波を放射することを特徴とするオーガニックコットン製生地を使用した機能性オーガニックコットン製タオル。
【考案の詳細な説明】
【技術分野】
【０００１】  本考案は、３２〜３８テラヘルツの共鳴電磁波を放射することを特徴とするオーガニックコットン製生地を使用した機能性オーガニックコットン製タオルに関するものである。敷布としたり掛布とするだけで、当該電磁波が、血流を改善し、床ずれを防止したり、体の各部のツボを刺激して疲労や疼痛を緩和する。
【背景技術】
【０００２】  近年、消臭や抗菌剤処理をした機能性のある敷布や掛布が流行している。【０００３】  また、遠赤外線やその他の周波数領域の電磁波を発振する鉱物や金属やセラミックを練りこんだ布団や敷布が、疼痛や疲労の緩和を目的として開発されているが、効果の安定性や均一性や耐久性に問題があるものがほとんどである。その主な理由として遠赤外線領域電磁波の発生源や周波数が特定されておらず、また現在の技術レベルでその周波数や効果を定量的に解析することが難しいためと考えられる。
【特許文献１】特開２００８−２８９８２３
【特許文献２】特開２０００−２１７６６９
【特許文献３】特開平８−２４３１２６
【特許文献４】特開平８−１９１７４６
【考案の概要】
【考案が解決しようとする課題】
【０００４】  布団表面の汚れを防止したり、寝ている人の人体から発生する水分の吸湿のために布団表面に敷布を敷くことが多いが、近年、遠赤外線を放出する物質を練り込むことで、消臭や抗菌機能を有する機能性敷布や掛布も開発されている。しかし遠赤外線の周波数が明確でないものが多く、効果も安定せず、広く普及するための問題となっている。
【課題を解決するための手段】
【０００５】  このような課題を解決するために本考案者は、３２〜３８テラヘルツの共鳴電磁波が水分子クラスターの水素結合を分断したり、電子の散乱運動を円滑にすることができることに着目した。【０００６】  すなわち、３２〜３８テラヘルツの共鳴電磁波を、２〜１２時間、２０℃〜９０℃の温度条件下で、オーガニックコットン製生地に照射することで、当該オーガニックコットン製生地自体を当該共鳴電磁波の転写放射体とする。【０００７】  オーガニックコットン製生地自体を共鳴電磁波の転写放射体とすることで、共鳴電磁波を放射するセラミックや金属の粉末を混入させた敷布や掛布よりも安定性や耐久性が増し、当該粉末の剥離により効力を減じるという問題を解決できる。【０００８】  また、オーガニックコットン製生地から放射される共鳴電磁波の周波数を３２〜３８テラヘルツと限定することで、周波数によって効果が明確にできないという問題点を解決できる。
【考案の効果】
【０００９】  本考案によれば、敷布として敷いたり、掛布として掛けるだけで、寝ている間に、血流や神経の流れを改善でき、体の各部のツボを刺激し疲労や疼痛を緩和できる効果が明確で持続性の高い３２〜３８テラヘルツの共鳴電磁波を放射する汎用性の高いオーガニックコットン製生地を使用した機能性オーガニックコットン製タオルを提供できる。【００１０】  また、本考案による機能性オーガニックコットン製タオルは、衣類を身につけたままの状態でも、当該タオルの上に寝たり、掛けて寝るだけで、直接体に接触することなく、３２〜３８テラヘルツの共鳴電磁波を体全体に照射する。【００１１】  また、当該共鳴電磁波は、当該タオルの上に寝たり、掛けている人の体全体の皮膚細胞や血流の水分や各種成分の水素結合を共振励起し、当該水素結合を分離する。そして当該水素結合から放出された電子が高速で血液中や細胞水中を移動し、他の原子や分子と衝突することにより次々とカスケード的に電子（マイナスイオン）が大量に放出され、当該血液や細胞水を低分子量化し、酸化還元電位を還元側にし、水分のＰＨ値をアルカリ側にし、当該血液や細胞水を活性化する。【００１２】  また、低分子量化され活性化された血液は血行を改善し、床ずれを防止する。【００１３】  また、低分子量化され活性化された細胞水は筋肉細胞を柔軟にし、血管や神経の圧迫を解放し、疼痛や疲労を緩和する。
【考案を実施するための形態】
【００１４】  以下、本考案の実施形態について図面を参照しながら詳細に説明する。
図１は、本考案の機能性オーガニックコットン製タオルの作用概念の断面を示す。
【００１５】  図１に示すように、本考案の機能性オーガニックコットン製タオル２を布団４の上に敷き、その上に体１を置く。
【００１６】  当該機能性オーガニックコットン製タオル２は、オーガニックコットンにより製作され、肌触りがよく、肌に優しい。
【００１７】  当該オーガニックコットン製タオル２は、３２〜３８テラヘルツの共鳴電磁波５を放射し、衣服を透過して、体１に照射され、体１の細胞水や血液を構成する水分子クラスター６の水素結合を分断し、水単分子７とするとともに電子８を体１内部に放出する。
【００１８】  また、低分子量化或いは単分子化した水単分子７は、血行を改善し、寝たきり状態の人の床ずれを防止する。
【００１９】  また、低分子量化され活性化された細胞水は細胞を柔軟にし、血管や神経の圧迫を解放し、結果的に疼痛や疲労を緩和する。
【００２０】  さらに、水素結合が分離されて放出される電子８の還元効果で、体の老化を防止することができる。
【００２１】  機能性オーガニックコットン製タオルは、布団に敷くだけでなく、掛布として使用しても同様の効果が得られる。
【実施例】
【００２２】  体が不自由で寝たきりの人に、本考案の機能性オーガニックコットン製タオルを試してもらったところ、腰の痛みが緩和され、床ずれの症状が改善されたことが確認された。【００２３】  また、冷え性に悩む多くの人に、本考案の機能性オーガニックコットン製タオルを試してもらったところ、基礎体温が上がり、足の冷え性が改善されることが確認された。【００２４】  また、運動選手に、本考案の機能性オーガニックコットン製タオルを試してもらったところ、運動後の疲労の回復が早くなることが確認された。
【産業上の利用可能な分野】
【００２５】  本考案は、敷布や掛布としてだけでなく、自動車の運転席の背部に敷くと運転の疲労が軽減する。また果物や生鮮食品を機能性オーガニックコットン製タオルの上に置くことで、果物の旨みを増やしたり、鮮度を保持することができるため生鮮食品の鮮度保持剤として利用できる。
【図面の簡単な説明】
【００２６】
【図１】本考案の機能性オーガニックコットン製タオルの作用概念の断面を示す。
【符号の説明】
【００２７】  １  体
２  機能性オーガニックコットン製タオル
３  布団
４  共鳴電磁波
５  水分子クラスター
６  水単分子
７  電子
【図１】
0003212664.tif 000003